(57)【要約】【課題】  電磁誘導加熱によって被加熱体の温度が急速に上昇する場合であっても、異常高温を迅速に検知し、有効に過加熱を防止する。【解決手段】  インバータ回路２８では、駆動回路４１からの駆動信号（パルス信号）によって直流をスイッチングし、高周波電流を励磁コイル２２ｃに供給する。上記駆動信号は、電力値指示手段４２から出力される指定電力値が励磁コイルに供給されるようにＯＮ  ｄｕｔｙ幅を設定してスイッング素子３３をＯＮ／ＯＦＦする。上記のようにして高周波電流が供給されているときに、電圧検知手段３６は、ＬＣ共振回路で発生するフライバック電圧を検知し、異常検知手段３７によって基準電圧値と比較する。基準電圧値は、指定電力値に基づいて出力されており、励磁コイルが異常に高温となっていると、インバータ回路の磁気結合が低下してフライバック電圧値が大きくなり、異常として検知される。【選択図】  図４
2005243483.tif 000002
【特許請求の範囲】
【請求項１】
被加熱体が有する導電性層に渦電流を発生させるための励磁コイルを含み、スイッチング素子により直流をＯＮ／ＯＦＦして前記励磁コイルに高周波電流を生成する高周波発生回路と、
前記励磁コイルへ供給する電力値を指定する電力値指示手段と、
前記電力値指示手段で指定された電力値に対応してＯＮ  ｄｕｔｙ幅が設定された駆動信号を、前記スイッチング素子に対して出力する駆動回路と、
前記高周波発生回路内の上記励磁コイルを含む共振回路で発生するフライバック電圧を検知する電圧検知手段と、
前記電力値指示手段で指定された電力値に基づいて基準電圧値を出力する基準電圧値出力手段と、
前記電圧検知手段で検知されたフライバック電圧値と前記基準電圧値出力手段から出力された電圧値を比較し、該フライバック電圧値が該基準電圧値以上である場合又は該基準電圧値を超える場合に、その旨の信号を出力する異常検知手段とを備えることを特徴とする加熱装置。
【請求項２】
前記電力値指示手段は、複数の設定値から該加熱装置の使用状態に応じて選択した一つの設定値を基準電圧値として出力するものであることを特徴とする請求項１に記載の加熱装置。
【請求項３】
前記異常検知手段は、  前記フライバック電圧値が、前記基準電圧値以上となったこと又は該基準電圧値を超えたことを複数回検知したときに、異常を示す信号を出力するものであることを特徴とする請求項１に記載の加熱装置。
【請求項４】
前記異常検知手段は、  前記フライバック電圧値が、前記基準電圧値以上となったこと又は該基準電圧値を超えたことを検知し、さらに所定時間経過後に再び前記基準電圧値以上となったこと又は該基準電圧値を超えたことを検知したときに、異常を示す信号を出力するものであることを特徴とする請求項１に記載の加熱装置。
【請求項５】
無端状の周面を有し、粉体トナーによって形成されたトナー像に接触する定着部材と、
該定着部材を加熱する加熱装置と、
該定着部材に圧接される加圧部材とを有し、
前記定着部材に接触して加熱され溶融したトナー像を、前記加圧部材と前記定着部材との間を通過する記録媒体に圧着する定着装置であって、
前記定着部材が無端状の周面に沿って導電性層を有し、
前記加熱装置が、請求項１から請求項４までのいずれかに記載の加熱装置であることを特徴とする定着装置。
【発明の詳細な説明】
【技術分野】
【０００１】
本発明は、励磁コイルによって変動磁界を生成し、被加熱体が有する導電性層に発生する渦電流で発熱させる加熱装置、及び静電電位の差による潜像に粉体トナーを付着させることによって形成された可視像を前記加熱装置によって加熱溶融し、記録シート上に定着する定着装置に関する。
【背景技術】
【０００２】
一般に、粉状のトナーを用いる画像形成装置においてトナー像を定着する工程は、トナー像を記録媒体上に静電的に転写した後、加熱部材と加圧部材との間に記録媒体を挟み込み、トナー像を加熱溶融して記録媒体に圧着する方法が広く採用されている。
【０００３】
上記加熱部材を加熱する手段として、特開平１０−２５４２６３号公報（特許文献１）、特開平１１-３５２８０４号公報（特許文献２）等には、加熱部材に導電性層を設け、電磁誘導加熱によって導電性層を発熱させるものが記載されている。
【０００４】
電磁誘導加熱は、変動磁界を発生する励磁コイルを導電性層に近接配置し、導電性層に発生する渦電流で発熱させるものである。この電磁誘導加熱によれば、加熱部材を直接加熱することができるとともに、高温となる範囲が極めて限られた範囲となり、加熱部材を短い時間で所定の温度まで加熱することができる。このため、加熱源としてハロゲンランプ等の発熱体を用いる場合に比べ、装置のウォーミングアップ時間を短縮することができ、消費電力を低減することができる。
【０００５】
一方、加熱部材（定着部材）は加熱ロールの他、無端状の定着ベルトが一般に用いられており、該無端状ベルトには複数の支持ロールによって張架されたタイプと、内部に押圧部材を有し無張架の状態で周回駆動されるタイプとがある。定着ベルトは薄肉の耐熱性樹脂等を基層とし、加熱ロールに比べ熱容量が小さいため、加熱ロールより短時間でウォーミングアップを行なうことができる。さらに、無張架タイプの定着ベルトは、他の部材との接触する面積を小さくすることができ、他の部材への熱移動が低減される。このため、一層効率の良いウォーミングアップを行なうことができる。
【０００６】
上記のように加熱部材として無端状ベルトを用い、これを電磁誘導加熱する装置では、無端状ベルトが複数のロールによって張架されるときには、特許文献２に記載されているように張架されたベルトの内面又は外面と対向するように励磁コイルが配置される。一方、無端状ベルトが無張架の状態で周回駆動されるものでは、特開２００３−８４５９１号公報（特許文献３）、特開２００３−９１１８５号公報（特許文献４）に記載されているように、無端状ベルトの外周面と近接対向するように励磁コイルが配置される。そして、ベルトを貫通する方向に変動磁界を発生し、その周囲に渦電流が誘導される。
【０００７】
上記励磁コイルへ供給する高周波電流は、一般に直流を高周波でスイッチングすることによって生成され、定電流制御又は定電力制御がなされる。また、励磁コイルへの電力供給は、被加熱体である定着部材の温度を温度センサで検知し、所定の温度が維持されるように供給電力量を制御したり、電力供給のＯＮ／ＯＦＦ制御がなされる。
【特許文献１】特開平１０−２５４２６３号公報
【特許文献２】特開平１１−３５２８０４号公報
【特許文献３】特開２００３−８４５９１号公報
【特許文献４】特開２００３−９１１８５号公報
【発明の開示】
【発明が解決しようとする課題】
【０００８】
電磁誘導を利用した加熱装置及びこれを利用した定着装置では、上記のように利点を有するものではあるが問題点もあり、その一つに、昇温速度が早いと言う利点のために、被加熱体が異常高温（過加熱）となった場合の安全対策の難しさがある。この異常高温に対する安全対策は、従来のハロゲンランプを用いた定着装置の場合では、サーモスタットや温度ヒューズなどを定着ローラに接触させたり、その近傍に配設し、定着ローラが一定の温度に達した場合に、ハロゲンランプへの電流路を遮断するようにして定着ローラの過加熱を防止している。
【０００９】
しかしながら、サーモスタットや温度ヒューズなどは、その動作にある程度の時間の遅れがある。つまり、被加熱体の実際の温度が遅れて検知され、サーミスタ等が所定の基準温度を検知し動作したときには被加熱体は基準温度より高温となっている。昇温速度の遅いハロゲンランプの場合には、それでも十分に定着ローラの過加熱を防止することができるが、電磁誘導加熱を行う場合にはその昇温速度が速いために、適切に制御できない場合が生じる。また、被加熱体が熱容量の小さいベルトである場合には、上記問題点は特に顕著となる。
【００１０】
図９は、被加熱体の温度とこの温度を検知するバイメタル及びヒューズの温度の差の一例を示す概略図である。
被加熱体にバイメタルを直接接触させて用いるサーモスタットの場合でも、被加熱体が異常高温Ｔ0 となり、その温度Ｔ0 を検知するまでに５０〜６０秒程度（ｔ０からｔ１）の時間を要し、温度ヒューズの場合には、直接定着ローラに接触させることができないため、さらに長く約１００秒程度（ｔ０からｔ２）要する。その間に定着ローラは異常温度Ｔ0 からさらに温度Ｔ１、Ｔ２と高くなる。熱容量の小さい回転体の場合には、さらに昇温の傾きが大きくなるため、このような熱伝達の遅れの間に上昇する温度（Ｔ１、Ｔ２）も大きくなり、これらの温度に耐え得る高温耐熱部材を用いる必要がある。一方、制御のための基準温度を、被加熱体の異常とする温度Ｔ0より、低い温度（Ｔ3又はＴ4）に設定すると、温度検知の誤差が大きくなり、さらに昇温の傾きが大きいとこの傾向は顕著となる。
【００１１】
本発明は、上記のような問題点に鑑みてなされたものであり、その目的は、電磁誘導加熱によって被加熱体の温度が急速に上昇する場合であっても、異常高温を迅速に検知し、有効に過加熱を防止することができる加熱装置又はこのような加熱装置を用いた定着装置を提供するものである。
【課題を解決するための手段】
【００１２】
上記目的を達成するために、請求項１記載の本発明は、  被加熱体が有する導電性層に渦電流を発生させるための励磁コイルを含み、スイッチング素子により直流をＯＮ／ＯＦＦして前記励磁コイルに高周波電流を生成する高周波発生回路と、  前記励磁コイルへ供給する電力値を指定する電力値指示手段と、  前記電力値指示手段で指定された電力値に対応してＯＮ  ｄｕｔｙ幅が設定された駆動信号を、前記スイッチング素子に対して出力する駆動回路と、  前記高周波発生回路内の上記励磁コイルを含む共振回路で発生するフライバック電圧を検知する電圧検知手段と、  前記電力値指示手段で指定された電力値に基づいて基準電圧値を出力する基準電圧値出力手段と、  前記電圧検知手段で検知されたフライバック電圧値と前記基準電圧値出力手段から出力された電圧値を比較し、該フライバック電圧値が該基準電圧値以上である場合又は該基準電圧値を超える場合に、その旨の信号を出力する異常検知手段とを備える加熱装置を提供する。
なお、上記構成において、フライバック電圧は、上記スイッチング素子をＯＮ状態とした状態からＯＦＦ状態とした後の共振回路に発生する電圧である。
【００１３】
この加熱装置では、スイッチング素子のＯＮ／ＯＦＦによって励磁コイルに高周波電流が供給され、励磁コイルが変動磁界を生成する。この変動磁界により、励磁コイル付近に配置された導電性層に渦電流が生じ、ジュール発熱する。上記スイッチング素子のＯ／ＯＦＦのタイミングは、電力値指示手段によって指定された電力値に基づいて設定されるものとなっており、駆動回路は、指定電力値に対応するようにＯＮ  ｄｕｔｙ幅を調整して駆動信号を出力する。
【００１４】
励磁コイルに上記高周波電流が供給されると、スイッチング素子がＯＮ状態となって電流が供給されている状態からスイッチング素子がＯＦＦ状態とされたときにフライバック電圧が生じ、これが電圧検知手段によって検知される。検知された電圧値は電力値指示手段で指定された電力値に基づいた基準電圧値と比較される。つまり、指定された電力値に基づいてＯＮ  ｄｕｔｙ幅が設定されていても、被加熱体及び励磁コイルが加熱され高温となると励磁コイル及び高周波発生回路の固有抵抗値が上昇し、磁気結合が低下して前記フライバック電圧値が上昇する。したがって、この値を予め指定電力値と対応して設定された基準電圧値と比較することによって、被加熱体の温度が異常な高温になったときに、これを直ちに検知することができる。
【００１５】
請求項２に係る発明は、請求項１に記載の加熱装置において、  前記電力値指示手段は、複数の設定値から該加熱装置の使用状態に応じて選択した一つの設定値を基準電圧値として出力するものとする。
なお、上記複数の設定値は、それぞれが指定された電力値と対応して設定されるものであり、例えばそれぞれが指定電力値の関数として設定される。
【００１６】
この定着装置では、被加熱体の初期加熱時のように低温の状態から所定の温度まで加熱するときと、所定の温度に被加熱体を維持するときとで、それぞれ異なる基準電圧値が設定されるもので、これらを切り換えてフライバック電圧の検出値と比較される。これにより、状況に応じて効率の良い加熱が可能になるとともに、異常温度の検知も的確に行うことができる。例えば、この加熱装置をトナー像の定着を行う定着装置に用いるときには、装置の起動時における予備加熱時（ウォーミングアップ時）と定常運転時とでは、投入する電力値が異なることが多く、また、コイルの温度及び昇温速度も異なる。予備加熱時には大きな電力を投入して急速に加熱が行われるし、定常運転時には入力電力を低く抑えて、安定した温度制御が行われる。このような状況の相違に応じて基準電圧値を設定することによって適切な異常高温対策が可能となる。
【００１７】
請求項３に係る発明は、請求項１に記載の加熱装置において、  前記異常検知手段は、  前記フライバック電圧値が、前記基準電圧値以上となったこと又は該基準電圧値を超えたことを複数回検知したときに、異常を示す信号を出力するものとする。
【００１８】
異常検知手段が基準電圧値を超える値を検知しても、これが突破的なノイズ等による誤信号であった場合には、装置が誤作動となってしまう。しかし、この加熱装置では、フライバック電圧値が基準電圧値以上となったこと示す信号を複数回検知したときに被加熱体が異常温度となったと判断するものであるため、上記のような誤作動を回避することができる。例えば、あるサンプリング周期でフライバック電圧値を基準電圧値と比較し、異常温度が検出された回数をカウントする。そして、この回数が所定値に達したときに、被加熱体が異常温度になっていると判定して、前記高周波発生回路の動作を停止させ熱暴走を事前に防止することができる。
【００１９】
請求項４に係る発明は、請求項１に記載の加熱装置において、  前記異常検知手段は、  前記フライバック電圧値が、前記基準電圧値以上となったこと又は該基準電圧値を超えたことを検知し、さらに所定時間経過後に再び前記基準電圧値以上となったこと又は該基準電圧値を超えたことを検知したときに、異常を示す信号を出力するものとする。
【００２０】
この定着装置は、請求項３に係る発明と同様に、ノイズ等による誤作動を防止するものであり、異常検知手段が基準電圧値以上の値を検知し、さらに所定時間の経過後にも基準電圧値以上の値を検知した場合には異常状態が続いていると判断し、誤作動を生じることなく前記高周波発生回路の動作を適切に停止させることができる。
【００２１】
請求項５に係る発明は、  無端状の周面を有し、粉体トナーによって形成されたトナー像に接触する定着部材と、  該定着部材を加熱する加熱装置と、  該定着部材に圧接される加圧部材とを有し、  前記定着部材に接触して加熱され溶融したトナー像を、前記加圧部材と前記定着部材との間を通過する記録媒体に圧着する定着装置であって、  前記定着部材が無端状の周面に沿って導電性層を有し、前記加熱装置が、請求項１から請求項４までのいずれかに記載の加熱装置である定着装置を提供するものである。
【００２２】
この定着装置では、電磁誘導加熱装置によって加熱される定着部材の異常温度を迅速に検知し、適切に加熱を停止することができ、定着部材に薄いベルト等を用いても、ベルトの異常加熱や損傷を確実に防止することができる。
【発明の効果】
【００２３】
以上説明したように、本願発明に係る加熱装置では、高周波発生回路内の励磁コイルを有する共振回路で発生するフライバック電圧を検知し、供給しようとする電力値に対応して予め設定された基準電圧値と比較することにより、瞬時に異常を検知できる。さらに、基準電圧値を複数設定することにより、状況に応じて供給電力の指示値が変更される場合等にも、異常高温を的確に検知することができ、異常高温検知の精度が向上する。
【発明を実施するための最良の形態】
【００２４】
以下、本願に係る発明の実施の形態を図に基づいて説明する。
図１は、本願発明の一実施形態である加熱装置及び定着装置が用いられる画像形成装置の概略構成図である。
この画像形成装置は、一様帯電後に像光が照射されて表面に静電電位の差による潜像が形成される円筒状の感光体ドラム１を備えており、この感光体ドラム１の周囲に、感光体ドラム１の表面を一様に帯電させる帯電装置２と、感光体ドラム１に像光を照射して表面に潜像を形成する露光装置３と、感光体ドラム上の潜像にトナーを選択的に転移させてトナー像を形成する現像ユニット４と、感光体ドラム１と対向し、周面の周回が可能に支持される無端ベルト状の中間転写体５と、トナー像の転写後に感光体ドラム１に残留するトナーを除去するクリーニング装置６と、感光体ドラム１の表面を除電する除電露光装置７とを備えている。
【００２５】
また、上記中間転写体５の内側には、感光体ドラム上に形成されたトナー像を中間転写体５に一次転写させる転写帯電器８と、２つの支持ロール９a、９ｂと、二次転写を行うための転写対向ロール１０とが配置されており、これらによって中間転写体５が周回可能に張架されている。該転写対向ロール１０と中間転写体５を介して対向する位置には、中間転写体上のトナー像を記録紙に転写する転写ロール１１が配設されており、該転写対向ロール１０と転写ロール１１との圧接部に、用紙トレイ（図示しない）から記録紙Ｐが送り込まれる。また、圧接部の下流側には、記録紙上のトナー像を加熱溶融して記録紙に圧着する定着装置１２と、中間転写体５に沿った位置に、中間転写体上に残留するトナーを除去するクリーニング装置１３とが設けられている。
【００２６】
上記感光体ドラム１は、金属製ドラム表面にSe、a-Si、a-SiC、Cds等の各種無機感光材料、有機感光材料、アモルファスセレン系感光材料、アモルファスシリコン系感光材料等からなる感光体層を形成したものを用いることができる。
【００２７】
上記帯電装置２は、ステンレススチール、アルミニウム等の導電性を有する金属のロールに高抵抗材料のコーティングを施したものであり、感光体ドラム１に当接され、従動回転するようになっている。そして、所定の電圧が印加されることにより、該ロールと感光体ドラム１との接触部近傍における微小間隙内で継続的な放電を生じ、感光体ドラム１の表面をほぼ一様に帯電するものである。
【００２８】
露光装置３は、画像信号に基づいて点滅するレーザー光を発生し、これをポリゴンミラーによって感光体ドラム１の主走査方向にスキャンするものである。これにより感光体ドラム１の表面に静電潜像が形成される。
【００２９】
上記現像ユニット４は、イエロー、マゼンタ、シアン、ブラックのトナーを収容した４台の現像器４a 〜 ４dが回転可能に支持されており、順次各現像器４a 〜 ４dが感光体ドラム１と近接・対向して、各色に対応した潜像に、トナーを転移して可視像を形成するものである。
【００３０】
ベルト状の上記中間転写体５は、ベース層と表面層との２層構造となっており、ベース層には、耐熱性・強度・表面平滑性を考慮して、ポリイミド、ポリアミド、ポリアミドイミド等の耐熱性樹脂や、アルミニウム、ステンレス等の金属を用い、表面層には、耐熱性およびトナーとの離型性の高いシリコーンゴム、フッ素ゴム等を用いている。
【００３１】
上記転写帯電器８は、感光体ドラム１上のトナー像が、効率よく中間転写体５へ転移するように電圧を印加して中間転写体５の裏面に電荷を付与するものである。また、上記転写ロール１１は、導電性もしくは半導電性のロール状部材からなり、転写対向ロール１０との間に電圧を印加することによって、中間転写体５上のトナー像を記録紙Ｐに一括転写するものである。
【００３２】
このような画像形成装置において、トナー像の形成は次のような工程によって行われる。
まず、感光体ドラム１の表面が帯電装置２でほぼ一様に帯電され、つづいて露光装置３から像光が照射されて感光体１の表面に静電電位の差による潜像が形成される。そして、感光体ドラム１の回転により、現像ユニット４の１つの現像器４aと対向する位置に移動し、現像器４aから１色目のトナーが転移され、トナー像が形成される。このトナー像は、感光体ドラム１の周回移動により中間転写体５との対向位置に搬送され、中間転写体上に静電的に一次転写される。一方、一次転写後に感光体ドラム１上に残留するトナーはクリーニング装置６により除去され、感光体ドラム１の表面は除電露光装置７により電位的に初期化され、再び帯電装置２との対向位置に移動する。
【００３３】
以後、現像ユニット４の３つの現像器４ｂ、４ｃ、４ｄが順次、感光体ドラム１と対向する位置に移動し、同様に２色目、３色目、４色目のトナー像が順次形成され、中間転写体５上に重ねて転写される。なお、このとき二次転写のための転写ロール１１は、中間転写体５と接触しない位置に後退している。
【００３４】
中間転写体５上で重ね合わされたトナー像は、中間転写体５の周回移動により、転写ロール１１と転写対向ロール１０との対向位置に搬送され、用紙トレイから送り込まれた記録紙Ｐに当接される。転写ロール１１と中間転写体５との間には転写用バイアス電圧が印加されており、トナー像は記録紙上に二次転写される。そして、トナー像が転写された記録紙Ｐは定着装置１２へと搬送される。
【００３５】
次に、上記定着装置１２の構成を図２に基づいて説明する。
この定着装置１２は、無端状の定着ベルト２１と、定着ベルト２１の周面と対向する位置に支持された電磁誘導加熱装置２２と、定着ベルト２１に圧接される加圧ロール２３と、定着ベルト２１の内側に支持され、加圧ロール２３との間に定着ベルト２１を挟み込む加圧対向部材２４と、加圧ロール２３と定着ベルト２１との圧接部の下流側近傍に支持された剥離部材２６とを有している。また、加圧ロール２３と定着ベルト２１との圧接部の上流側に定着ベルト２１の周面の温度を測定する温度センサ２７が設けられている。そして、高周波電流を生成して上記電磁誘導加熱装置２２に供給するインバータ回路２８と、このインバータ回路２８へ駆動信号を出力し、上記電磁誘導加熱装置の作動を制御する制御装置２９とが設けられており、温度センサ２７の検出信号は、この制御装置２８に入力されるものとなっている。なお、上記制御装置２９は、画像形成装置全体の駆動を制御する機能を備えるものであってもよい。
【００３６】
上記定着ベルト２１は、図３（ａ）に示すように、ポリイミド、ポリイミドアミド等に代表される耐熱性の高いシート状部材を基体層２１ａとし、その上に導電性層２１ｂ、さらにその上に弾性層２１ｃ、表面離型層２１ｄを積層したものである。導電性層２１ｂは、例えば鉄、磁性ステンレス、ニッケルなどの磁性金属、またはこれら主体の合金や、非磁性ステンレス、アルミニウム、銅などの非磁性金属、またはこれら主体の合金を、厚さ５μｍ〜５０μｍで形成したものが用いられ、電磁誘導で十分な発熱が得られるような固有抵抗値となるように材質が選択される。弾性層２１ｃは、記録紙上のトナー像に定着ベルト２１の表面を密着させるものであり、耐熱性を有し、熱伝導率の高いシリコーンゴム、フッ素ゴム、フルオロシリコンゴム等が用いられ、厚さは１０μｍ〜５００μｍ、硬度は６００（ＪＩＳ−ＫＡ型試験機）以下とするのが望ましい。表面離型層２１ｄは、厚さが１μｍ〜１００μｍの、フッ素樹脂、シリコーン樹脂、等の離型性及び耐熱性の高いものを用いることができる。
【００３７】
なお、上記定着ベルト２１に代えて、図３（ｂ）に示すような定着ベルト１２１を用いても良い。この定着ベルトは、耐熱性樹脂層１２１ａ，１２１ｃが二層に分けて形成され、これらの間に導電性層１２１ｂが形成されている。そして、その表面に弾性層１２１ｄと表面離型層１２１ｅが積層されたものである。この定着ベルトでは、導電性層である金属層を薄く形成しても、繰り返し曲げ変形を受けることによる劣化を抑制することができる。
【００３８】
上記加圧ロール２３は、円形断面を有する金属製の芯金２３aの表面にスポンジやゴムなどの弾性層２３ｂと、表面を被覆する表面層２３ｃとを備えている。この加圧ロール２３は、駆動モータ（図示しない）によって回転駆動され、これにともなって定着ベルト２１が従動回転する。
【００３９】
上記電磁誘導加熱装置２２は、定着ベルト２１の外周面に倣って、この外周面とのギャップが１〜３ｍｍとなるように配置されており、定着ベルト２１の導電性層２１ｂを発熱させるものである。この電磁誘導加熱装置２２は、台座２２aに支持されたフェライト等からなる磁性体コア２２ｂと、この磁性体コア２２ｂの周囲に巻き回された励磁コイル２２ｃとを備えている。
【００４０】
上記加圧対向部材２４は、加圧ロール２３の周面に沿った形に湾曲した当接面を備える弾性部材２４ａと、この弾性部材２４ａを支持し、定着ベルトの幅方向における両端部で固定支持された支持部材２４ｂと、この支持部材２４ｂに支持され、定着ベルト２１の幅方向における両端部で内周面に当接され、定着ベルト２１の位置を規制するベルト走行ガイド（図示しない）によって主要部が構成されている。
【００４１】
剥離部材２６は、先端が定着ベルト２１に近接または接触するように配置されており、圧接部を通過した記録紙Ｐと定着ベルト２１との間に先端部が入り込み、記録紙Ｐを定着ベルト２１から剥離する。
【００４２】
温度センサ２７は定着ベルト２１と対向して配置され、定着ベルト２１の温度を検出するものであり、その検出値を制御装置２９に対して出力するものとなっている。この温度センサ２７は、赤外線により非接触で温度を検出するものであるが、被測定体に接触した状態で温度を測定するものを用いることもできる。例えば、ゼーベック効果を利用した熱電対や、抵抗の温度係数が大きい素子を用いたサーミスタ等を用いることができる。この温度センサ２７は、一箇所で温度検出するものでも良いが、複数の位置で温度を検出するように、複数を設けるのが望ましい。
【００４３】
図４は、上記インバータ回路２８と上記制御装置２９とを示す概略構成図である。
高周波発生回路であるインバータ回路２８には、商用電源３１（ＡＣ１００Ｖ）からの交流を整流回路３２によって整流した直流（ＤＣ）が入力されており、スイッチング素子３３により高周波でＯＮ／ＯＦＦして高周波電流とし、励磁コイル２２ｃに供給される。励磁コイル２２ｃは、共振用コンデンサ３４と並列に接続されており、ＬＣ共振回路を形成している。上記スイッチング素子３３は、制御装置２９から出力される駆動信号によって駆動される。
【００４４】
図５は上記インバータ回路２８のスイッチング素子３３がＯＮ／ＯＦＦされたときの各部における電流値及び電圧値を示すものである。
スイッチング素子３３をＯＮ状態とすると励磁コイル２２ｃに電流が生じ、インダクタンスによって電流量は徐々に増加する。スイッチング素子３３がＯＦＦにされると励磁コイル（Ｌ）２２ｃの電流量は徐々に減少し、コンデンサ３４がチャージされる。これにともない図４中のＱ、Ｄにおけるフライバック電圧値は上昇し、その後低下する。また、励磁コイル２２ｃの電流は逆方向に転じ、スイッチング素子３４と並列に介挿されたダイオード３５に極短時間の回生電流が生じる。そしてスイッチング素子３４を再びＯＮとする。このようなスイッチングではＯＦＦ状態とするタイミングからＯＮ状態とするタイミングまでがこのインバータ回路のＬＣによって決定され、スイッチングの１周期を設定することによってスイッチング素子３４をＯＮ状態とする時間すなわちＯＮ  ｄｕｔｙ幅が決まる。そして、ＯＮ  ｄｕｔｙ幅が大きくなると供給電力量が増大することになり、上記スイッチングの一周期又はＯＮ  ｄｕｔｙ幅は励磁コイルへ供給しようとする電力値（指示電力値）に基づいて設定されるものとなっている。
【００４５】
上記制御装置２９は、被加熱体である定着ベルト２１の検出温度に基づいて励磁コイルへの電力供給をＯＮ／ＯＦＦ制御する制御回路４３と、上記検出温度に基づいて励磁コイル２２ｃに供給しようとする電力値を指示電力値として設定する電力値指示手段４２と、前記電力値指示手段から出力された指示電力値に相当する信号に基づき、ＯＮ  ｄｕｔｙ幅を調整して前記スイッチング素子３３に駆動信号（パルス信号）を出力する駆動回路４１とを備えている。さらに、上記励磁コイル２２ｃを含む共振回路で発生するフライバック電圧を検知する電圧検知手段３６と、上記電力値指示手段４２から出力された指示電力値に対応した基準電圧値を出力する基準電圧値出力手段３８と、上記電圧検知手段３６と上記基準電圧値出力手段３８とから出力された電圧値を比較し、被加熱体である定着ベルト２１の過加熱を検知する異常検知手段３７とを備えるものである。
【００４６】
上記電力値指示手段４２は、被加熱体である定着ベルト２１の検知温度に基づき、励磁コイル２２ｃへ電力を供給したときの加熱が急速に行われる場合には、供給する電力の指示値を低減し、記録媒体等に奪われる熱量が多く、温度が低下傾向にある場合には指示電力値を大きく設定する。また、定着ベルト２１の予備加熱時と、定着動作を行っているときとでは、異なる指示電力値が設定されるものとなっている。
【００４７】
上記基準電圧値出力手段３８は、基準電圧値すなわち励磁コイルの温度が正常か異常かを判別するための基準となる電圧値を出力するものであり、指示電力値に対応した値を演算して出力するものとなっている。指示電力値が大きい場合には駆動回路から出力される駆動信号のＯＮ  ｄｕｔｙ幅が大きくなり、これにともなってフライバック電圧も上昇する。したがって、異常な温度上昇によるフライバック電圧の上昇を検知するためには、基準電圧値も指示電力値が異なるとそれに対応して設定することが必要となるものである。
また、被加熱体である定着ベルトを急速に加熱しているときと、定着ベルトを所定の温度に維持するための加熱を行っているときとでは、供給する電力量、励磁コイルの温度、温度変化の速度等が異なっており、これらを考慮して、予備加熱時と定着装置の駆動時とでは、基準電圧値の演算に異なる設定を採用するようになっている。
【００４８】
上記異常検知手段３７は、電圧検知手段３６によって検知されたフライバック電圧値と基準電圧値と比較するものであり、基準電圧値を超えた場合には、定着ベルト２１及び励磁コイル２２ｃの温度が異常に高温となってインピーダンスが過度に大きくなっている判断する。そして、ノイズや突発的な異常信号による誤作動を防止するために、上記基準電圧値を超える値を所定の回数検出したときに異常であることを示す信号を出力するものとなっている。
【００４９】
次に、上記定着装置１２の動作について説明する。
加圧ロール２３が駆動を開始し、定着ベルト２１が従動して周回を開始するのとほぼ同時、あるいは開始後に、インバータ回路２８から励磁コイル２２ｃに高周波電流が供給される。励磁コイル２２ｃに高周波電流が供給されると、励磁コイル２２ｃの周囲に矢印Ｈで示される磁束が生成消滅を繰り返す。そして、この磁界Ｈが定着ベルト２１の導電性層を横切るとき、その磁界の変化を妨げる磁界を生じるように、導電性層には渦電流が発生し、導電性層の表皮抵抗および導電性層を流れる電流の大きさに比例して発熱する。
【００５０】
上記定着装置に送り込まれた記録紙Ｐは、電磁誘導加熱装置２２によって所定の温度に加熱された定着ベルト２１と加圧ロール２３とによって加熱押圧され、トナー像Ｔは記録紙Ｐに溶融圧着される。そして、記録紙Ｐは、加圧ロール２３と弾性部材２４ａとの圧接部から送り出されたとき、その剛性によって送り出された方向に直進しようとし、曲げ回される定着ベルト２１から剥離され易い状態となり、さらに、剥離部材２６によって定着ベルト２１から剥離される。
【００５１】
上記定着ベルト２１は、トナー像を定着するために適切な温度が維持されている必要があり、その温度の制御及び異常時における過加熱を防止するための制御は、温度センサ２７の出力等に基づいて次のように行われる。
定着装置１２は、例えば電源スイッチがＯＮ状態とされたときに、初期加熱（ウォーミングアップ）が行われるものとなっており、制御回路４３からＯＮ信号が出力されて、電力値指示手段４２から駆動回路４１に指示電力値が入力される。駆動回路４１では、指示電力値に基づいてＯＮ  ｄｕｔｙ幅を設定した駆動信号が出力され、インバータ回路２８のスイッチング素子３３がＯＮ／ＯＦＦされる。これによりインバータ回路２８には高周波電流が生じる。これにより励磁コイルは変動磁界を生成し、定着ベルト２１の導電性層には渦電流が生じて発熱する。このとき定着ベルト２１の温度は、温度センサ２７によって検知され、所定の温度に達したときに、定着動作の準備が完了する。
【００５２】
この後、未定着トナー像を定着する通常駆動時の設定に切り換えられ、未定着トナー像を担持した記録紙Ｐが送り込まれると、定着ベルト２１はこの記録紙Ｐに圧接され、トナー像を加圧加熱して定着する。これらの工程において、定着ベルト２１の温度は温度センサ２７によって検知されており、これらの出力に基づいて電力値指示手段が指示電力値を出力する。つまり、検知温度が高温であると、供給電力が過剰であると考えられ、電力値指示手段４２において指示電力値がより小さい値に変更される。また、定着ベルト２１の温度が下降するときには供給電力が不足しており、指示電力値はより大きい値に変更される。
【００５３】
また、指定電力値を小さい値に設定しても、供給電力が過剰となる場合には、制御回路４３から電力値指示手段４２に対して高周波電流の供給をＯＮ／ＯＦＦ制御する信号が出力される。これにより一時的に駆動回路４１からの駆動信号が停止され、定着ベルト２１から記録紙Ｐ及びトナー像への熱移動及び放熱により定着ベルト２１の温度が低下する。その後、所定の制御下限値を下回ると、制御回路４３は高周波電流の供給をＯＮ状態とする信号、つまり電力値指示手段４２から電力値を指示し、駆動回路４１から駆動信号を出力することを指示する信号を駆動回路４１に出力する。これにより駆動信号が出力され、励磁コイルには高周波電流が供給されて、定着ベルト２１の加熱が行われる。そして、定着ベルト２１の温度が上昇し、制御上限値に達すると制御回路からの信号はＯＦＦ信号に変わり、駆動回路４１からの駆動信号が停止される。したがって、定着ベルト２１の温度は所定の制御上限値と制御下限値との間に制御される。
【００５４】
異常検知手段は、上記のように制御され、駆動信号が出力されているときに、被加熱体である定着ベルトの過加熱を次のように防止する。
導電性層を備える定着ベルト２１は、電磁誘導加熱による温度上昇によって固有抵抗値が上昇する特性を持っている。誘導コイル２２ｃ側を一次側、被加熱体である定着ベルト２１側を二次側とした場合のそれぞれの抵抗分、インダクタンス分をＲ１，Ｌ１、Ｒ２、Ｌ２とし、結合因数をＡとするとき、負荷インピーダンスＺは、
Ｚ＝（Ｒ１＋Ａ2＊Ｒ２）＋ｊω（Ｌ１−Ａ2＊Ｌ２）
ただし、Ａ≒Ｍ／Ｌ２  （Ｍは相互インダクタンス）
である。温度上昇により負荷インピーダンスの抵抗分が減少し、インダクタンス分が上昇することから、この現象は結合因数Ａが低くなることにより起こることがわかる。
【００５５】
上記のように定着ベルトの温度上昇にともなって磁気結合が低下するとフライバック電圧が上昇する。そして、この電圧が電圧検知手段によって検知される（ＳＴ１）。
【００５６】
異常検知手段３７は、図６に示すように、検知されたフライバック電圧値Ｖｉｎと、指示電力値に対する基準電圧値Ｖｓｅｔとの比較（ＳＴ２）を行い、指示電力値におけるフライバック電圧値Ｖｉｎが指示電力値に対する基準電圧値Ｖｓｅｔより大きくなったときに、これを示すパルス信号を出力する。このパルス信号をカウンタで数え（ＳＴ３）、所定の数を超えたときに、被加熱体である定着ベルトが異常温度になっていると判定して（ＳＴ４）駆動信号の出力を停止する（ＳＴ５）。これにより、インバータ回路２８の動作が全て停止し、励磁コイル２２ｃへの高周波電流の供給が遮断されて定着ベルト２１の過加熱が防止される。一方、所定の時間にパルス数のカウントが増加しないときには、ノイズ等による誤信号として、インバータ回路への電力供給を継続する。
【００５７】
なお、上記の異常検知工程では、基準電圧値を超えたことを示すパルス信号をカウントしているが、図７に示すように、基準電圧値を超えたこと示すパルス信号の出力が継続する時間を計測し（ＳＴ６）、この時間が基準時間を超えたときに異常加熱と判定して（ＳＴ７）、インバータ回路への電力供給を停止しても良い。
【００５８】
上記のように、定着ベルト自体の温度による変動因子に基づいて異常温度を検出することにより、異常温度の検知に時間のずれを生じることがなくなり、迅速な対処が可能となる。したがって、より的確な過加熱に対する防護手段とすることが可能となる。
【００５９】
図８は、本願発明の加熱装置を用いた画像形成装置の他の例を示す概略構成図である。
この画像形成装置は、感光体ドラム５１、帯電装置５２、露光装置５３、現像ユニット５４、クリーニング装置５６、除電露光装置５７、転写装置５８については、図１に示す画像形成装置と、実質的に同じものを備えている。しかしながら、この画像形成装置では、中間転写体５５として、無端状の周面に沿って導電性層を有するものが用いられており、この中間転写体５５上のトナー像を加熱する電磁誘導加熱装置６２と、該中間転写体５５の温度を測定する温度センサ６３とが、中間転写体５５の周面に沿って設けられている。そして、制御装置６４が温度センサ６３の出力に基づいて、電磁誘導加熱装置６２が有するインバータ回路への電力供給を制御するものとなっている。
【００６０】
上記中間転写体５５は、耐熱性の高いシート状部材からなる基層と、その上に積層された導電性層と、最も上層となる表面離型層との３層で構成されており、導電性層は、電磁誘導で十分な発熱が得られるように材質が選択される。また、表面離型層は、離型性の高いシートまたはコート層であることが好ましく、一次転写時のトナー像の静電転写性も考慮して、カーボンブラックなどの導電材料を分散し、抵抗調整を行ったシートを用いてもよい。
【００６１】
また、上記制御装置６４は、図１に示す画像形成装置の定着装置で用いられているものと同じものであり、電磁誘導加熱装置６２も励磁コイルの形態は異なるものの、図４に示すものと同じ構成のインバータ回路を備えている。
【００６２】
この画像形成装置では、感光体ドラム５１から中間転写体５５上に転写され、複数色が重ね合わされたトナー像は、中間転写体５５の周回移動により、電磁誘導加熱装置６２と対向する加熱領域を通過する。トナー像は、中間転写体上で加熱されて溶融し、転写対向ロール６０と加圧ロール６１との圧接部に搬送される。この搬送にタイミングを合わせて、記録紙Ｐが用紙トレイ（図示しない）から中間転写体５５と加圧ロール６１との間に送り込まれ、トナー像が記録紙Ｐに圧着され、転写と定着とが同時に行われる。
【００６３】
このとき、温度センサ６３の検出値によって電磁誘導加熱装置６２に供給する電力量が制御され、中間転写体５の表面温度が所望の温度を維持するようになっている。この電磁誘導加熱装置への電力供給の制御及び被加熱体である中間転写体５５の異常加熱の検知は、図１に示す画像形成装置の定着装置で行われるものと同様に行われる。
【図面の簡単な説明】
【００６４】
【図１】本願発明の一実施形態である定着装置及び加熱装置を用いた画像形成装置を示す概略構成図である。
【図２】図１に示す画像形成装置で用いられる定着装置を示す概略構成図である。
【図３】図２に示す定着装置で用いられる定着ベルトの拡大断面図である。
【図４】制御装置とインバータ回路との構成を示す概略図である。
【図５】図４に示すインバータ回路の各部における電流及び電圧の変化を示すタイミングチャートである。
【図６】図４に示す制御装置における異常加熱を防止する動作のフロー図である。
【図７】図４に示す制御装置における異常加熱を防止する動作の他の例を示すフロー図である。
【図８】本願発明に係る加熱装置が用いられる画像形成装置の他の例を示す概略構成図である。
【図９】被加熱体とこれの近くに設けられたバイメタル及び温度ヒューズの温度の変化を時間の経過を追って示す概略図である。
【符号の説明】
【００６５】
１：感光体ドラム、  ２：帯電装置、  ３：露光装置、  ４：現像ユニット、  ５：中間転写体、  ６：クリーニング装置、  ７：除電露光装置、  ８：転写帯電器、  ９：支持ロール、  １０：転写対向ロール、  １１：転写ロール、  １２：定着装置、  １３：クリーニング装置、
２１：定着ベルト、  ２１ａ：基体層、  ２１ｂ：導電性層、  ２１ｃ：弾性層、  ２１ｄ：表面離型層、  ２２：電磁誘導加熱装置、  ２３：加圧ロール（加圧部材）、  ２４：加圧対向部材、  ２６：剥離部材、  ２７：温度センサ、  ２８：インバータ回路、  ２９：制御装置、
３１：商用電源、  ３２：整流回路、  ３３：スイッチング素子、  ３４：コンデンサ、  ３５：ダイオード、  ３６：電圧検知手段、  ３７：異常検知手段、    ３８：基準電圧値出力手段、  ４１：駆動回路、  ４２：電力値指示手段、  ４３：制御回路、
５１：感光体ドラム、  ５２：帯電装置、  ５３：露光装置、  ５４：現像ユニット、  ５５：中間転写体、  ５６：クリーニング装置、  ５７：除電露光装置、  ５８：転写帯電器、  ５９：支持ロール、  ６０：転写対向ロール、  ６１：加圧ロール、  ６２：電誘導加熱装置、  ６３：温度センサ、  ６４：制御装置、
１２１：中間転写体、  １２１ａ：第１のポリイミド層、  １２１ｂ：導電性層、  １２１ｃ：第２のポリイミド層、  １２１ｄ：弾性層、  １２１ｅ：表面離型層
【図１】
2005243483.tif 000003
【図２】
2005243483.tif 000004
【図３】
2005243483.tif 000005
【図４】
2005243483.tif 000006
【図５】
2005243483.tif 000007
【図６】
2005243483.tif 000008
【図７】
2005243483.tif 000009
【図８】
2005243483.tif 000010
【図９】
2005243483.tif 000011